(57)【要約】【課題】従来に無い新規な機能を有する調光ミラー装置の提供。【解決手段】印加電圧のオン／オフにより鏡面状態又は透明状態に変化する調光ミラー層と、前記印加電圧のオン／オフをそれぞれ所定の時間間隔で可変的に行う制御回路と、を具備し、前記透明状態の時間を人の目の時間分解能以下とすることによって、鏡面状態の前記調光ミラー層に映る像と、透明状態の前記調光ミラー層を透過して見える背後の像とが、残像効果によって二重に見えること、を特徴とする調光ミラー装置。【選択図】図１
2015004823.tif 000002
【特許請求の範囲】
【請求項１】
印加電圧のオン／オフ又は極の切換えにより鏡面状態又は透明状態に変化する調光ミラー層と、
前記印加電圧のオン／オフ又は極の切換えをそれぞれ所定の時間間隔で可変的に行う制御回路と、を具備し、
前記透明状態の時間を人の目の時間分解能付近の残像効果を伴う時間とすることによって、鏡面状態の前記調光ミラー層に映る像と、透明状態の前記調光ミラー層を透過して見える背後の像とが、残像効果によって二重に見えること、
を特徴とする調光ミラー装置。
【請求項２】
前記透明状態の時間が２０ｍｓ〜２００ｍｓであること、を特徴とする請求項１に記載の調光ミラー装置。
【請求項３】
前記透明状態の時間が５０ｍｓ〜１００ｍｓであること、を特徴とする請求項１に記載の調光ミラー装置。
【請求項４】
前記調光ミラー層の背後に設けられた光源を含むこと、を特徴とする請求項１〜３のうちのいずれかに記載の調光ミラー装置。
【請求項５】
請求項１〜４のうちのいずれかに記載の調光ミラー装置を含むことを特徴とする表示装置。
【発明の詳細な説明】
【技術分野】
【０００１】
本発明は調光ミラー装置に関し、より具体的には、残像効果を利用した調光ミラー装置に関する。
【背景技術】
【０００２】
従来から、鏡状態と透明状態とを切り替えることのできる調光ミラーについて、研究開発が進められている。
【０００３】
例えば特許文献１（特開２００５−２７４６３０号公報）においては、全固体型調光ミラー光スイッチ及びその製造方法等を提供すべく、「透明な基材に多層薄膜を形成した調光ミラー光スイッチ素子であって、基材の上に、イオンストレージ層、固体電解質層、プロトン注入層、及びマグネシウム・ニッケル系合金薄膜を用いた調光ミラー層を形成したことを特徴とする全固体型調光ミラー光スイッチ素子、透明な基材に多層薄膜を形成した調光ミラー光素子を製造する方法であって、基材の上に、イオンストレージ層、固体電解質層、プロトン注入層、及びマグネシウム・ニッケル系調光ミラー層を積層することを特徴とする全固体型調光ミラー光スイッチ素子の製造方法、及びその応用製品。」が提案されている。
【０００４】
また、例えば特許文献２（特開２００７−３０１７７８号公報）においては、界面の構造を制御してスイッチングの耐久性を高めた調光ミラーを提供すべく、「透明な基材に、多層薄膜を形成した薄膜素子であり、水素を含むガスにより鏡状態から透明状態に変化し、また、酸素を含むガスにより透明状態から鏡状態に変化する調光材料において、多層薄膜が、調光層、バッファ層、及び触媒層から成ることを特徴とする調光ミラー材料、及び該調光ミラー材料を用いて調光機能を付加した調光ミラー機能を有する物品。」が提案されている。
【０００５】
更に、特許文献３（特開２００４−２５８４００号公報）においては、マグネシウム・ニッケル系合金薄膜などの希土類金属の水素化物からなる薄膜の実用的な新たな用途を提供すべく、「マグネシウム・ニッケル系合金薄膜などの希土類金属の水素化物を含む調光ミラー層２０を、情報表示部としての液晶パネル部１１の前側に配置した。従って、印加する電圧を制御するのみで、透明状態とすることにより、情報表示部としての液晶パネル部１１を通常の情報表示媒体として使用できると共に、該調光ミラー層２０を鏡面状態とすることにより、鏡として使用することができる。」との提案がなされている。
【先行技術文献】
【特許文献】
【０００６】
【特許文献１】特開２００５−２７４６３０号公報
【特許文献２】特開２００７−３０１７７８号公報
【特許文献３】特開２００４−２５８４００号公報
【発明の概要】
【発明が解決しようとする課題】
【０００７】
しかし、特許文献１に開示されている全固体型調光ミラー光スイッチ素子は、光ファイバー通信に用いる光スイッチ素子に関するものであり、特許文献２及び特許文献３に開示されている調光ミラーは、透明な状態と鏡の状態がスイッチングできる従来の調光ミラーに関するものに過ぎない。
【０００８】
これに対し、本発明者は、従来に無い新規な方法で制御することによって新規な機能を有する調光ミラー装置を実現することができないか鋭意検討した結果、残像効果を利用することができれば付加価値のある調光ミラー装置を得ることができることを見出し、本発明を完成するに至った。即ち、本発明の目的は従来に無い新規な機能を有する調光ミラー装置の提供にある。
【課題を解決するための手段】
【０００９】
本発明者は上記目的を達成すべく、印加電圧のオン／オフ又は極の切換えにより鏡面状態又は透明状態に変化する調光ミラー層と、前記印加電圧のオン／オフ又は極の切換えをそれぞれ所定の時間間隔で可変的に行う制御回路と、を具備し、前記透明状態の時間を人の目の時間分解能付近の残像効果を伴う時間とすることによって、鏡面状態の前記調光ミラー層に映る像と、透明状態の前記調光ミラー層を透過して見える背後の像とが、残像効果によって二重に見えること、を特徴とする調光ミラー装置を提供する。
【００１０】
このような構成を有する本発明の調光ミラー装置によれば、人の目の残像効果により、調光ミラー層の第一の面（前面）側からみた場合に、鏡面状態となった調光ミラー層の前面に映る前面側の像と、透明状態となった調光ミラー層を透過して見える第二の面（後面）側の像とが、二重写しとなって見える。
【００１１】
また、制御回路によって印加電圧のオン／オフをそれぞれ所定の時間間隔で可変的に行うことによって、前面に映るものが、前面側の像から後面側の像に、又は、後面側の像から前面側の像に、次第に切り替わっていく。
【００１２】
上記の本発明の調光ミラー装置においては、前記透明状態の時間が２０ｍｓ〜２００ｍｓであること、更には、５０ｍｓ〜１００ｍｓであることが好ましい。
【００１３】
このような構成を有する本発明の調光ミラー装置によれば、上記のような作用効果をより確実に得ることができる。
【００１４】
上記の本発明の調光ミラー装置においては、前記調光ミラー層の背後（即ち、調光ミラー層の後面側）に設けられた光源を含むこと、が好ましい。
【００１５】
このような構成を有する本発明の調光ミラー装置によれば、制御回路によって印加電圧のオン／オフをそれぞれ所定の時間間隔で可変的に変化させることによって、調光ミラーの後面側に位置する光源からの光をまぶしく感じず、かつ、暗い場所でも使用することのできる鏡を実現することができる（特に透明状態の時間が５０ｍｓ以下）。
【００１６】
本発明は、上記の本発明の調光ミラー装置を含むことを特徴とする表示装置にも関する。かかる表示装置としては、例えば、液晶表示装置を含む携帯電話及びタブレット型端末機器等が挙げられる。
【発明の効果】
【００１７】
本発明によれば、従来に無い新規な機能を有する調光ミラー装置を提供することができる。
【図面の簡単な説明】
【００１８】
【図１】本発明の調光ミラー装置の一実施形態の構成を示す概略図である。
【図２】本発明の調光ミラー装置における制御回路による印加電圧のオン／オフの切換えの時間間隔の一例を示すグラフである。
【図３】本発明の調光ミラー装置における制御回路による印加電圧の極の切換えの時間間隔の一例を示すグラフである。
【発明を実施するための形態】
【００１９】
以下、図面を参照しながら本発明の調光ミラー装置の代表的な実施形態について詳細に説明するが、本発明はこれらのみに限定されるものではない。なお、以下の説明では、同一または相当部分には同一符号を付し、重複する説明は省略する場合がある。また、図面は、本発明を概念的に説明するためのものであるから、表された各構成要素の寸法やそれらの比は実際のものとは異なる場合もある。
【００２０】
図１は、本発明の調光ミラー装置の一実施形態の構成を示す概略図であり、図２は、図１に示す調光ミラー装置１における制御回路による印加電圧のオン／オフの切換えの時間間隔の一例を示すグラフである。
【００２１】
本実施形態の調光ミラー装置１は、図１に示すように、印加電圧のオン／オフにより鏡面状態又は透明状態に変化する調光ミラー層２と、印加電圧のオン／オフをそれぞれ所定の時間間隔で可変的に切換可能な制御回路３と、を具備する。また、調光ミラー層２の後面側には光源４が設置されており、電源コード５が接続されている。
【００２２】
この調光ミラー装置１においては、図２に示すように、印加電圧オンの鏡面状態の時間ｔａ及び印加電圧オフの透明状態の時間ｔｂのうち、透明状態の時間ｔｂを人の時間分解能（５０ｍｓ〜１００ｍｓ）と同等かもしくはより短く設定することが最大の特徴である。
【００２３】
このように設定することによって、鏡面状態の調光ミラー層２に映る像と、透明状態の調光ミラー層２を透過して見える背後の像とが、残像効果によって二重に見えるという従来に無い作用効果を得ることができる。
【００２４】
ここで、調光ミラー層２としては、従来公知の調光ミラー層を用いることができ、例えばエレクトロクロミック式の調光ミラーでもガスクロミック式の調光ミラーを用いることができる。
【００２５】
また、オン／オフの切換えを可変的に（即ち、透明状態の時間ｔａ及び鏡面状態の時間ｔｂの長さを変更可能に）制御する制御回路３としては、従来公知の制御回路を用いることができ、例えばフリップフロップ回路等を用いて構成することができる。
【００２６】
透明状態の時間ｔｂは、上記のとおり、２０ｍｓ〜２００ｍｓ、更には５０ｍｓ〜１００ｍｓあればよく、特にまぶしくなく明るい鏡面状態にする場合には、５０ｍｓ以下であること、が好ましい。他方、鏡面状態の時間ｔａは、例えば１００〜２００ｍｓであればよい。
【００２７】
なお、図３は、本発明の調光ミラー装置における制御回路による印加電圧の極の切換えの時間間隔の一例を示すグラフである。調光ミラー層の種類によっては、このように印加電圧の極の切換えによって本発明を実現することができる。
【００２８】
以上、本発明の調光ミラー装置の一実施形態について概略的に説明したが、本発明はこれらのみに限定されるものではなく、特許請求の範囲に記載の技術的思想の範囲であらゆる設計変更が可能であり、これら設計変更された態様も当然に本発明に含まれる。
【符号の説明】
【００２９】
１・・・調光ミラー装置、
２・・・調光ミラー層、
３・・・制御回路、
４・・・光源、
５・・・電源コード。
【図１】
2015004823.tif 000003
【図２】
2015004823.tif 000004
【図３】
2015004823.tif 000005